(57)【特許請求の範囲】
【請求項１】
携帯端末のアイコンを表示する表示手段と、
前記携帯端末の前記表示手段の正面に対して左右方向への傾斜を検出する傾き検出手段と、
前記携帯端末のアイコンの表示位置及び前記携帯端末の手又は指による保持位置が、前記携帯端末の前記表示手段の正面に対して反対方向にあるとき、前記携帯端末のアイコンに割り当てられた動作を、前記携帯端末の手又は指による左右方向への傾斜に割り当てる動作決定手段と、
を備える携帯端末。
【請求項２】
携帯端末のアイコンを表示する表示手段と、
前記携帯端末の前記表示手段の正面に対して前後方向への傾斜を検出する傾き検出手段と、
前記携帯端末のアイコンの表示位置及び前記携帯端末の手又は指による保持位置が、前記携帯端末の前記表示手段の正面に対して反対方向にあるとき、前記携帯端末のアイコンに割り当てられた動作を、前記携帯端末の手又は指による前後方向への傾斜に割り当てる動作決定手段と、
を備える携帯端末。
【請求項３】
携帯端末のアイコンを表示する表示手段と、
前記携帯端末の前記表示手段の正面に対して左右方向及び前後方向への傾斜を検出する傾き検出手段と、
前記携帯端末のアイコンの表示位置及び前記携帯端末の手又は指による保持位置が、前記携帯端末の前記表示手段の正面に対して反対方向にあるとき、前記携帯端末のアイコンに割り当てられた動作を、前記携帯端末の手又は指による左右方向又は前後方向への傾斜に割り当てる動作決定手段と、
を備える携帯端末。
【請求項４】
さらに、動作を開始する指示を取得する動作開始取得手段を備え、
前記動作決定手段は、前記動作開始取得手段が指示を取得した時の前記傾き検出手段の検出する傾斜方向に割り当てられた動作を決定することを特徴とする請求項１から３のいずれかに記載の携帯端末。
【請求項５】
さらに、前記傾き検出手段、前記動作開始取得手段、前記動作決定手段の少なくとも１つを起動する指示を取得する起動指示取得手段を備えることを特徴とする請求項１から４のいずれかに記載の携帯端末。
【請求項６】
前記動作開始取得手段又は前記起動指示取得手段は、前記表示手段の表示画面上のタッチパネルを利用して指示を取得することを特徴とする請求項４又は５に記載の携帯端末。
【請求項７】
携帯端末のアイコンを表示する表示手順と、
前記携帯端末の前記表示手順でアイコンを表示する画面の正面に対して左右方向への傾斜を検出する傾き検出手順と、
前記携帯端末のアイコンの表示位置及び前記携帯端末の手又は指による保持位置が、前記携帯端末の前記画面の正面に対して反対方向にあるとき、前記携帯端末のアイコンに割り当てられた動作を、前記携帯端末の手又は指による左右方向への傾斜に割り当てる動作決定手順と、
を順に有する携帯端末の制御方法。
【請求項８】
携帯端末のアイコンを表示する表示手順と、
前記携帯端末の前記表示手順でアイコンを表示する画面の正面に対して前後方向への傾斜を検出する傾き検出手順と、
前記携帯端末のアイコンの表示位置及び前記携帯端末の手又は指による保持位置が、前記携帯端末の前記画面の正面に対して反対方向にあるとき、前記携帯端末のアイコンに割り当てられた動作を、前記携帯端末の手又は指による前後方向への傾斜に割り当てる動作決定手順と、
を順に有する携帯端末の制御方法。
【請求項９】
携帯端末のアイコンを表示する表示手順と、
前記携帯端末の前記表示手順でアイコンを表示する画面の正面に対して左右方向及び前後方向への傾斜を検出する傾き検出手順と、
前記携帯端末のアイコンの表示位置及び前記携帯端末の手又は指による保持位置が、前記携帯端末の前記画面の正面に対して反対方向にあるとき、前記携帯端末のアイコンに割り当てられた動作を、前記携帯端末の手又は指による左右方向又は前後方向への傾斜に割り当てる動作決定手順と、
を順に有する携帯端末の制御方法。
【請求項１０】
さらに、前記携帯端末の傾斜方向に割り当てられた動作を開始する指示を取得する動作開始取得手順を、前記傾き検出手順の後に有し、
前記動作決定手順において、前記動作開始取得手順において指示を取得した時の前記傾き検出手順の検出する傾斜方向に割り当てられた動作を決定することを特徴とする請求項７から９のいずれかに記載の携帯端末の制御方法。
【請求項１１】
前記動作開始取得手順における指示は、前記表示手順において、画面上のタッチパネルを利用して取得することを特徴とする請求項１０に記載の携帯端末の制御方法。
【請求項１２】
携帯端末のアイコンを表示する表示ステップと、
前記携帯端末の前記表示ステップでアイコンを表示する画面の正面に対して左右方向への傾斜を検出する傾き検出ステップと、
前記携帯端末のアイコンの表示位置及び前記携帯端末の手又は指による保持位置が、前記携帯端末の前記画面の正面に対して反対方向にあるとき、前記携帯端末のアイコンに割り当てられた動作を、前記携帯端末の手又は指による左右方向への傾斜に割り当てる動作決定ステップと、
を順に携帯端末に実行させる携帯端末の制御プログラム。
【請求項１３】
携帯端末のアイコンを表示する表示ステップと、
前記携帯端末の前記表示ステップでアイコンを表示する画面の正面に対して前後方向への傾斜を検出する傾き検出ステップと、
前記携帯端末のアイコンの表示位置及び前記携帯端末の手又は指による保持位置が、前記携帯端末の前記画面の正面に対して反対方向にあるとき、前記携帯端末のアイコンに割り当てられた動作を、前記携帯端末の手又は指による前後方向への傾斜に割り当てる動作決定ステップと、
を順に携帯端末に実行させる携帯端末の制御プログラム。
【請求項１４】
携帯端末のアイコンを表示する表示ステップと、
前記携帯端末の前記表示ステップでアイコンを表示する画面の正面に対して左右方向及び前後方向への傾斜を検出する傾き検出ステップと、
前記携帯端末のアイコンの表示位置及び前記携帯端末の手又は指による保持位置が、前記携帯端末の前記画面の正面に対して反対方向にあるとき、前記携帯端末のアイコンに割り当てられた動作を、前記携帯端末の手又は指による左右方向又は前後方向への傾斜に割り当てる動作決定ステップと、
を順に携帯端末に実行させる携帯端末の制御プログラム。
【請求項１５】
さらに、前記携帯端末の傾斜方向に割り当てられた動作を開始する指示を取得する動作開始取得ステップを、前記傾き検出ステップの後に有し、
前記動作決定ステップにおいて、前記動作開始取得ステップにおいて指示を取得した時の前記傾き検出ステップの検出する傾斜方向に割り当てられた動作を決定することを特徴とする請求項１２から１４のいずれかに記載の携帯端末に実行させる携帯端末の制御プログラム。
【発明の詳細な説明】
【技術分野】
【０００１】
本発明は、携帯端末、携帯端末の制御方法及び携帯端末の制御プログラムに関する。
【背景技術】
【０００２】
携帯端末に加速度センサを実装すると、傾きを計測して電気信号に変換することができ、すなわち、傾きを携帯端末の動作へ割り当てることができる。例えば、携帯電話を傾けるだけで電話を発信し、着信があったときに傾けるだけで応答することができる。このような携帯端末の一例が、特許文献１から３に記載されている。
【先行技術文献】
【特許文献】
【０００３】
【特許文献１】特開２００４−３３４６４２号公報
【特許文献２】特開２００６−１２８７８８号公報
【特許文献３】特開２００９−０８７０７６号公報
【発明の概要】
【発明が解決しようとする課題】
【０００４】
上述した特許文献１に示した発明では、タッチパネルによる入力操作がオンになってから携帯端末を傾けることで動作を確定させている。しかし、例えばミュージックプレイヤーの音量を５段階下げる場合には、５回傾ける動作が必要となり、ミュージックプレイヤーの動作画面を確認しながら音量調整を行うことはできず、操作性を損なうという問題点があった。また、一定時間内に携帯端末を傾ける回数を計測して動作を決定しているが、一定時間内に携帯端末を傾ける回数を計測してから携帯端末の動作が決定されるため、応答性に欠けるという問題点があった。
【０００５】
そこで、本発明の目的は、上述した課題である、携帯端末の操作性、及び応答性を向上させることができる携帯端末、携帯端末の制御方法、携帯端末の制御プログラムを提供することを目的とする。
【課題を解決するための手段】
【０００６】
上記目的を達成するために、本発明の携帯端末は、傾斜方向を検出する傾き検出手段と、動作を開始する指示を取得する動作開始取得手段と、前記動作開始取得手段が指示を取得した時の前記傾き検出手段の検出する傾斜方向に割り当てられた動作を決定する動作決定手段とを備える。
【０００７】
上記目的を達成するために、本発明の携帯端末の制御方法は、携帯端末の傾斜方向を検出する傾き検出手順と、前記携帯端末の傾斜方向の動作を開始する指示を取得する動作開始取得手順と、前記動作開始取得手順において指示を取得した時の前記傾き検出手順の検出する傾斜方向に割り当てられた動作を決定する動作決定手順とを順に有する。
【０００８】
上記目的を達成するために、本発明の携帯端末の制御プログラムは、携帯端末の傾斜方向を検出する傾き検出ステップと、前記携帯端末の傾斜方向の動作を開始する指示を取得する動作開始取得ステップと、前記動作開始取得ステップにおいて指示を取得した時の前記傾き検出ステップの検出する傾斜方向に割り当てられた動作を決定する動作決定ステップとを順に携帯端末に実行させる。
【発明の効果】
【０００９】
本発明によれば、携帯端末の操作性、及び応答性を向上させることができる。
【図面の簡単な説明】
【００１０】
【図１】本発明の携帯端末を説明するブロック図である。
【図２】本発明の携帯端末の実施形態を説明するブロック図である。
【図３】本発明の携帯端末の制御方法を説明するフローチャートである。
【図４】本発明の携帯端末の制御方法の実施形態を説明するフローチャートである。
【図５】本発明の携帯端末の制御プログラムを説明するフローチャートである。
【図６】本発明の携帯端末の制御プログラムの実施形態を説明するフローチャートである。
【図７】本発明の携帯端末の正面概略図である。
【図８】本発明の携帯端末を正面に向かってＢ方向を下にした状態の概略図である。
【図９】本発明の携帯端末を正面に向かってＣ方向を下にした状態の概略図である。
【図１０】本発明の携帯端末を正面に向かってＢ方向を下にして、Ｃ方向に傾けた概略図である。
【図１１】本発明の携帯端末を正面に向かってＢ方向を下にして、Ｄ方向に傾けた概略図である。
【図１２】本発明の携帯端末を正面に向かってＢ方向を下にして、Ａ方向に傾けた概略図である。
【図１３】本発明の携帯端末を正面に向かってＢ方向を下にした状態の概略図である
【図１４】本発明の携帯端末を正面に向かってＣ方向を下にしてＡ方向に傾けた状態の概略図である。
【図１５】本発明の携帯端末を正面に向かってＣ方向を下にしてＢ方向に傾けた状態の概略図である。
【図１６】本発明の携帯端末を正面に向かってＣ方向を下にしてＤ方向に傾けた状態の概略図である。
【図１７】本発明の携帯端末を正面に向かってＣ方向を下にした状態の概略図である。
【図１８】本発明の携帯端末を正面に向かってＣ方向を下にして、タッチパネル上の操作する対象となるアイコンの位置を示す概略図である。
【図１９】本発明の携帯端末を正面に向かってＣ方向を下にしてＢ方向に傾けた状態の概略図である。
【発明を実施するための形態】
【００１１】
添付の図面を参照して本発明の実施形態を説明する。以下に説明する実施形態は本発明の実施形態であり、本発明は、以下の実施形態に制限されるものではない。なお、本明細書及び図面において符号が同じ構成要素は、相互に同一のものを示すものとする。
【００１２】
まず、図１を参照して、本発明の携帯端末の構成を説明する。図１は、本発明の携帯端末の最小構成を説明するブロック図である。図１において、本発明の携帯端末は、傾斜方向を検出する傾き検出手段１０−１と、動作を開始する指示を取得する動作開始取得手段１１−１と、動作開始取得手段１１−１で指示を取得した時の傾き検出手段１０−１で検出する傾斜方向に割り当てられた動作を決定する動作決定手段１２−１とを備える。具体的には、傾き検出手段１０−１は、携帯端末の傾斜方向を検出して電気信号へ変換し、動作決定手段１２−１へ送信する。傾き検出手段１０−１の具体例として加速度センサがある。動作開始取得手段１１−１で、携帯端末の動作を開始するための指示を取得し、動作決定手段１２−１に送信する。動作開始取得手段１１−１の具体例として、タッチパネル、スイッチがある。動作決定手段１２−１は、動作開始取得手段１１−１から動作開始の指示を取得した時の傾き検出手段１０−１が検出した傾斜方向に割り当てられた動作を決定する。動作決定手段１２−１の具体例として、コンピュータがある。
【００１３】
以上のように構成することで、携帯端末の操作は携帯端末の傾きを利用して実現するため、片手で複雑な操作を簡単に行うことができ、携帯端末の操作性を向上させることができる。また、携帯端末の動作開始は、携帯端末の傾きとは独立しているので、傾きによる携帯端末の誤動作、同じ動作の繰り返しに対して、応答性を向上させることができる。そして、携帯端末の傾きの方向と動作開始の指示とを次々組み合わせることで様々な携帯端末の動作を実現することができる。
【００１４】
次に、図２を参照して、本発明の携帯端末の構成の実施形態を説明する。図２は、本発明の携帯端末を説明するブロック図である。具体的には、傾斜方向を検出する傾き検出手段１０−２、動作を開始する指示を取得する動作開始取得手段１１−２、動作開始取得手段１１−２が指示を取得した時の傾き検出手段１０−２で検出する傾斜方向に割り当てられた動作を決定する動作決定手段１２−２、携帯端末の動作の内容を表示する表示手段１３、起動指示を取得する起動指示取得手段１４及び各手段の機能を管理する制御手段１５を備える。動作決定手段１２−２及び制御手段１５は、１台のコンピュータで実現してもよい。
【００１５】
表示手段１３は、動作決定手段１２−２によって決定された動作で操作される携帯端末の動作を表示する。表示手段１３の具体例として、タッチパネルを搭載した画面がある。ここで、動作開始取得手段１１−２又は起動指示取得手段１４は、表示手段１３の表示画面上のタッチパネルを利用して指示を取得してもよい。動作開始又は起動指示をタッチパネルを介して行うことで、携帯端末を所持して歩行中、或いは乗り物に乗っている時の振動によって、加速度センサを搭載した携帯端末が意図せず動作してしまうことを防ぐことができる。そして、起動指示取得手段１４は、動作開始取得手段１１−２とは別に、携帯端末の起動の指示を取得し、制御手段１５を介して動作決定手段１２−２へ送信する。動作開始取得手段１１−２の具体例として、タッチパネル、スイッチがある。なお、起動指示取得手段１４は、傾き検出手段１０−２、動作開始取得手段１１−２、動作決定手段１２−２の少なくとも１つを起動する指示を取得してもよい。起動指示取得手段１４が、少なくとも１つの起動する指示を取得することで、操作の手間を削減することができる。制御手段１５は、各手段の機能を管理する。
【００１６】
ここで、傾き検出手段１０−２は携帯端末の表示手段の正面に対して左右方向への傾斜を検出し、動作決定手段１２−２は携帯端末の表示手段１３の正面に対してそれぞれの方向に割り当てられた動作を決定してもよい。また、傾き検出手段１０−２は携帯端末の表示手段１３の正面に対して前後方向への傾斜を検出し、動作決定手段１２−２は携帯端末の表示手段１３の正面に対してそれぞれの方向に割り当てられた動作を決定してもよい。そして、傾き検出手段１０−２は携帯端末の表示手段１３の正面に対して左右方向及び前後方向への傾斜を検出し、動作決定手段１２−２は携帯端末の表示手段１３の正面に対してそれぞれの方向に割り当てられた動作を決定してもよい。
【００１７】
以上のように構成することで、携帯端末の操作は携帯端末の傾きを利用して実現するため、片手で複雑な操作を簡単に行うことができ、携帯端末の操作性を向上させることができる。また、携帯端末の動作開始は、携帯端末の傾きとは独立しているので、傾きによる携帯端末の誤動作、同じ動作の繰り返しに対して、応答性を向上させることができる。さらに、携帯端末の傾きの方向と動作開始の指示との組み合わせで様々な携帯端末の動作を実現することができる。そして、携帯端末に搭載されたタッチパネルのアイコンに割り当てられた動作を、左右又は前後方向の傾きに割り当てることで、携帯端末を保持した手だけで操作したい場合に、タッチパネル上のアイコンが保持した手から遠い位置にあっても無関係に操作することができる。よって、携帯端末の操作性を向上させることができる。
【００１８】
次に、図７から図１９を参照して、本発明の携帯端末の実施例を説明する。まず、図７は、本発明の携帯端末４０の正面方向の概略図である。図中、それぞれ、携帯端末４０の正面に対してＡを上、Ｂを下、Ｃを左、Ｄを右の方向とする。以下の図面でも同様である。図８は、本発明の携帯端末４０をＢを下にした概略図である。この状態における携帯端末４０のタッチパネル４１の具体例は、携帯電話の待ち受け画面である。図９は、本発明の携帯端末４０をＣを下にした概略図である。このとき、携帯端末４０に搭載された加速度センサが傾きを検知し、Ｃを下にして傾けた時の携帯端末４０に割り当てられた操作を実行し、動作開始の指示があるまで待機する。割り当てられた操作の具体例は、カメラ、ミュージックプレイヤー又はワンセグ（登録商標）テレビの操作メニューの表示がある。そして、タッチパネル４１から、携帯端末４０へ動作開始の指示を指４２で入力することで、動作を開始する。
【００１９】
次に、図１０は、本発明の携帯端末４０をＢを下にしてＣの方向へ傾けた概略図である。同様に、図１１は、本発明の携帯端末４０をＢを下にしてＤの方向へ傾けた概略図である。そして、図１２は、本発明の携帯端末４０をＢを下にして携帯端末４０の後方向へ傾けた概略図である。さらに、図１３は、本発明の携帯端末４０をＢを下にしてタッチパネル４１から指示を入力する概略図である。携帯端末４０の具体例として、ミュージックプレイヤーがある。図１０に示すように携帯端末４０を傾けると、搭載されている加速度センサが傾き方向を検知し、次の曲を選ぶ選曲メニューを開く操作となり、タッチパネル４１を操作することで選曲した曲が演奏される。また、図１１に示すように携帯端末４０を傾けると、搭載されている加速度センサが傾き方向を検知し、前の曲を選ぶ選曲メニューを開く操作となり、タッチパネル４１を操作することで選曲した曲が演奏される。さらに、図１２に示すように携帯端末４０を傾けると、搭載されている加速度センサが傾き方向を検知し、音量を上げるメニューを開く操作となり、タッチパネル４１を操作することで音量が上がる。図１３に示すように携帯端末４０を立てると、搭載されている加速度センサが傾き方向を検知し、音量を下げるメニューを開く操作となり、タッチパネル４１を操作することで音量が下がる。
【００２０】
次に、図１４は、本発明の携帯端末４０をＣを下にしてＡの方向へ傾けた概略図である。同様に、図１５は、本発明の携帯端末４０をＣを下にしてＢの方向へ傾けた概略図である。そして、図１６は、本発明の携帯端末４０をＣを下にして携帯端末４０の後方向へ傾けた概略図である。さらに、図１７は、本発明の携帯端末４０をＣを下にしてタッチパネル４１から指示を入力する概略図である。別の携帯端末の具体例として、ワンセグテレビがある。ワンセグテレビは、図１７に示すようにＣを下にした状態で視聴することが多い。それを考慮して、図１４に示すように携帯端末４０を傾けると、搭載されている加速度センサが傾き方向を検知し、次のチャンネルを選ぶ選局メニューを開く操作となり、タッチパネル４１を操作することで選局したチャンネルに切り替わる。また、図１５に示すように携帯端末４０を傾けると、搭載されている加速度センサが傾き方向を検知し、前のチャンネルを選ぶ選局メニューを開く操作となり、タッチパネル４１を操作することで選局したチャンネルに切り替わる。さらに、図１６に示すように携帯端末４０を傾けると、搭載されている加速度センサが傾き方向を検知し、音量を上げるメニューを開く操作となり、タッチパネル４１を操作することで音量が上がる。図１７に示すように携帯端末４０を立てると、搭載されている加速度センサが傾き方向を検知し、音量を下げるメニューを開く操作となり、タッチパネル４１を操作することで音量が下がる。
【００２１】
以上、説明したように、携帯端末４０の傾きとタッチパネル４１からの指示の入力とを組み合わせることで、携帯端末４０の複雑な操作を簡単に行うことができる。また、図１８は、本発明の携帯端末４０をＣを下にした状態で、アイコン４３がタッチパネルに表示されている概略図である。図１８に示す状態では、指４２でアイコン４３を指示しようとすると、携帯端末４０を保持する指４２とは反対の指を使わなければならない。しかし、例えば図１９に示すように、携帯端末４０をＣを下にしてＢの方向へ傾ける操作に、図１８に示されたアイコン４３と同じ動作を割り当てれば、携帯端末４０を保持する指４２のみで操作ができ、携帯端末４０を片手で操作することもできる。
【００２２】
次に、図３を参照して、本発明の携帯端末の動作について説明する。図３は、本発明の携帯端末の制御方法を示したフローチャートである。図３において、本発明の携帯端末の制御方法は、携帯端末の傾斜方向を検出する傾き検出手順２０−１と、携帯端末の傾斜方向の動作を開始する指示を取得する動作開始取得手順２１−１と、動作開始取得手順２１−１において指示を取得した時の傾き検出手順２０−１の検出する傾斜方向に割り当てられた動作を決定する動作決定手順２２−１とを順に有する。具体的には、傾き検出手順２０−１において、携帯端末を傾斜させた時に携帯端末の傾斜方向を検出し、続いて、動作開始取得手順２１−１において、携帯端末を傾斜させた時の携帯端末の傾斜方向に割り当てられた動作を開始する指示を取得する。そして、動作決定手順２２−１において、動作開始取得手順２１−１で指示を取得した時の傾き検出手順２０−１の検出する傾斜方向に割り当てられた動作を決定することで、携帯端末に割り当てられた動作を開始する。
【００２３】
以上のような手順を順に実行することで、携帯端末の操作は携帯端末の傾きを利用して実現するため、片手で複雑な操作を簡単に行うことができ、携帯端末の操作性を向上させることができる。また、携帯端末の動作開始は、携帯端末の傾きとは独立しているので、傾きによる携帯端末の誤動作、同じ動作の繰り返しに対して、応答性を向上させることができる。そして、携帯端末の傾きの方向と動作開始の指示とを次々組み合わせることで様々な携帯端末の動作を実現することができる。
【００２４】
次に、図４を参照して、本発明の携帯端末の動作の実施形態について説明する。図４は、本発明の携帯端末の制御方法を示したフローチャートである。具体的には、表示手順２３において、動作決定手順２２−２で決定された動作について、操作される携帯端末の動作を表示する。例えば、タッチパネルを搭載した液晶画面に表示される。次に、傾き検出手順２０−２において、携帯端末の傾斜方向を検出し、動作開始取得手順２１−２において、携帯端末を傾斜させた時の携帯端末の傾斜方向の動作を開始する指示を取得する。そして、動作決定手順２２−２において、動作開始取得手順２１−２において指示を取得した時の傾き検出手順２０−２の検出する傾斜方向に割り当てられた動作を決定することで、携帯端末に割り当てられた動作を開始する。この手順を順次、繰り返すことで、同じ傾きの方向と動作開始の指示との組み合わせであっても、様々な操作を行うことができる。ここで、動作開始取得手順２１−２における指示は、表示手順２３において、画面上のタッチパネルを利用して取得してもよい。動作開始をタッチパネルを介して行うことで、携帯端末を所持して歩行中、或いは乗り物に乗っている時の振動によって、加速度センサを搭載した携帯端末が意図せず動作してしまうことを防ぐことができる。
【００２５】
ここで、傾き検出手順２０−２において、携帯端末の表示手順２３の正面に対して左右方向への傾斜を検出し、動作決定手順２２−２において、携帯端末の表示手順２３の正面に対してそれぞれの方向に割り当てられた動作を決定してもよい。また、傾き検出手順２０−２において、携帯端末の表示手順２３の正面に対して前後方向への傾斜を検出し、動作決定手順２２−２において、携帯端末の表示手順２３の正面に対してそれぞれの方向に割り当てられた動作を決定してもよい。そして、傾き検出手順２０−２において、携帯端末の表示手順２３の正面に対して左右方向及び前後方向への傾斜を検出し、動作決定手順２２−２において、携帯端末の表示手順２３の正面に対してそれぞれの方向に割り当てられた動作を決定してもよい。
【００２６】
以上のように構成することで、携帯端末の操作は携帯端末の傾きを利用して実現するため、片手で複雑な操作を簡単に行うことができ、携帯端末の操作性を向上させることができる。また、携帯端末の動作開始は、携帯端末の傾きとは独立しているので、傾きによる携帯端末の誤動作、同じ動作の繰り返しに対して、応答性を向上させることができる。さらに、携帯端末の傾きの方向と動作開始の指示との組み合わせで様々な携帯端末の動作を実現することができる。そして、携帯端末に搭載されたタッチパネルのアイコン４３に割り当てられた動作を、左右又は前後方向の傾きに割り当てることで、携帯端末を保持した手だけで操作したい場合に、タッチパネル上のアイコン４３が保持した手から遠い位置にあっても無関係に操作することができる。よって、携帯端末の操作性を向上させることができる。
【００２７】
次に、図５を参照して、本発明の携帯端末の動作について説明する。図５は、本発明の携帯端末の制御プログラムを示したフローチャートである。図５において、本発明の携帯端末の制御プログラムは、携帯端末の傾斜方向を検出する傾き検出ステップ３０−１と、携帯端末の傾斜方向の動作を開始する指示を取得する動作開始取得ステップ３１−１と、動作開始取得ステップ３１−１において指示を取得した時の傾き検出ステップ３０−１の検出する傾斜方向に割り当てられた動作を決定する動作決定ステップ３２−１とを順に有する。具体的には、傾き検出ステップ３０−１において、携帯端末を傾斜させた時に携帯端末の傾斜方向を検出し、続いて、動作開始取得ステップ３１−１において、携帯端末を傾斜させた時の携帯端末の傾斜方向に割り当てられた動作を開始する指示を取得する。そして、動作決定ステップ３２−１において、動作開始取得ステップ３１−１で指示を取得した時の傾き検出ステップ３０−１の検出する傾斜方向に割り当てられた動作を決定することで、携帯端末に割り当てられた動作を開始する。
【００２８】
以上のようなプログラムを実行することで、携帯端末の操作は携帯端末の傾きを利用して実現するため、片手で複雑な操作を簡単に行うことができ、携帯端末の操作性を向上させることができる。また、携帯端末の動作開始は、携帯端末の傾きとは独立しているので、傾きによる携帯端末の誤動作、同じ動作の繰り返しに対して、応答性を向上させることができる。そして、携帯端末の傾きの方向と動作開始の指示とを次々組み合わせることで様々な携帯端末の動作を実現することができる。
【００２９】
次に、図６を参照して、本発明の携帯端末の制御プログラムの実施形態について説明する。図６は、本発明の携帯端末の制御プログラムを示したフローチャートである。具体的には、表示ステップ３３において、動作決定ステップ３２−２で決定された動作について、操作される携帯端末の動作を表示する。例えば、タッチパネルを搭載した液晶画面に表示される。次に、傾き検出ステップ３０−２において、携帯端末の傾斜方向を検出し、動作開始取得ステップ３１−２において、携帯端末を傾斜させた時の携帯端末の傾斜方向の動作を開始する指示を取得する。そして、動作決定ステップ３２−２において、動作開始取得ステップ３１−２において指示を取得した時の傾き検出ステップ３０−２の検出する傾斜方向に割り当てられた動作を決定することで、携帯端末に割り当てられた動作を開始する。
【００３０】
ここで、傾き検出ステップ３０−２において、携帯端末の表示ステップ３３の正面に対して左右方向への傾斜を検出し、動作決定ステップ３２−２において、携帯端末の表示ステップ３３の正面に対してそれぞれの方向に割り当てられた動作を決定してもよい。また、傾き検出ステップ３０−２において、携帯端末の表示ステップ３３の正面に対して前後方向への傾斜を検出し、動作決定ステップ３２−２において、携帯端末の表示ステップ３３の正面に対してそれぞれの方向に割り当てられた動作を決定してもよい。そして、傾き検出ステップ３０−２において、携帯端末の表示ステップ３３の正面に対して左右方向及び前後方向への傾斜を検出し、動作決定ステップ３２−２において、携帯端末の表示ステップ３３の正面に対してそれぞれの方向に割り当てられた動作を決定してもよい。
【００３１】
以上のように構成することで、携帯端末の操作は携帯端末の傾きを利用して実現するため、片手で複雑な操作を簡単に行うことができ、携帯端末の操作性を向上させることができる。また、携帯端末の動作開始は、携帯端末の傾きとは独立しているので、傾きによる携帯端末の誤動作、同じ動作の繰り返しに対して、応答性を向上させることができる。さらに、携帯端末の傾きの方向と動作開始の指示との組み合わせで様々な携帯端末の動作を実現することができる。そして、携帯端末に搭載されたタッチパネルのアイコンに割り当てられた動作を、左右又は前後方向の傾きに割り当てることで、携帯端末を保持した手だけで操作したい場合に、タッチパネル上のアイコンが保持した手から遠い位置にあっても無関係に操作することができる。よって、携帯端末の操作性を向上させることができる。
【符号の説明】
【００３２】
１０−１，１０−２：傾き検出手段
１１−１，１１−２：動作開始取得手段
１２−１，１２−２：動作決定手段
１３：表示手段
１４：起動指示取得手段
１５：制御手段
２０−１，２０−２：傾き検出手順
２１−１，２１−２：動作開始取得手順
２２−１，２２−２：動作決定手順
２３：表示手順
３０−１，３０−２：傾き検出ステップ
３１−１，３１−２：動作開始取得ステップ
３２−１，３２−２：動作決定ステップ
３３：表示ステップ
４０：携帯端末
４１：タッチパネル
４２：指
４３：アイコン
【図１】
0005402495.tif 000002
【図２】
0005402495.tif 000003
【図３】
0005402495.tif 000004
【図４】
0005402495.tif 000005
【図５】
0005402495.tif 000006
【図６】
0005402495.tif 000007
【図７】
0005402495.tif 000008
【図８】
0005402495.tif 000009
【図９】
0005402495.tif 000010
【図１０】
0005402495.tif 000011
【図１１】
0005402495.tif 000012
【図１２】
0005402495.tif 000013
【図１３】
0005402495.tif 000014
【図１４】
0005402495.tif 000015
【図１５】
0005402495.tif 000016
【図１６】
0005402495.tif 000017
【図１７】
0005402495.tif 000018
【図１８】
0005402495.tif 000019
【図１９】
0005402495.tif 000020